(57)【要約】【課題】本発明はトランシーバモジュールに係り、プルスリーブを構成する上スリーブと下スリーブとを堅固に固定するようにすることを目的とする。【解決手段】プルスリーブ５０は、上スリーブ５１と下スリーブ６１とが組み合わされ、且つ両側から嵌合されたクリップ７０、７０Ｌによって固定してある。クリップ７０は、略Ｕ字形状であり、Ｚ方向に長い本体部７１と、上腕部７２と、下腕部７３とを有し、本体部７１の内側には、長方形の切り欠き部７４が形成ししてある。上スリーブ５１と下スリーブ６１とは、夫々、スリット５５、６５を有し、且つ、各スリット５５、６５内にはには、側板側突起部５６ａ、６６ａが形成してある。切り欠き部７４が整列した状態の側板側突起部５６ａ、６６ａを挟むように嵌合している。【選択図】図６
2008158665.tif 000002
【特許請求の範囲】
【請求項１】
ハウジングの正面側に外部接続用コネクタを有し、且つ、前記外部接続用コネクタを囲むようにして設けてあるプルスリーブを有し、前記プルスリーブを引く操作を行って装着部から引き抜かれるトランシーバモジュールにおいて、
前記プルスリーブは、共に合成樹脂製である上スリーブと下スリーブとが組み合わされ、挿入されたクリップによって挟まれて固定された構成であり、
前記クリップは、板状であり、縦向きの本体部と、この本体部の両端より延在している上腕部及び下腕部と、この先端のフック部とよりなり、前記本体部はその内側に切欠き凹部を有する形状であり、
前記上スリーブ及び前記下スリーブは、夫々、前記クリップが挿入されるスリットを有し、且つ、前記スリットの内部に、前記切欠き凹部に嵌合する突起部を有する構成であり、
前記クリップが、前記スリット内に挿入され、前記フック部を係止されて取り付けてあり、前記上スリーブの突起部と前記下スリーブの突起部とが前記切欠き凹部内に嵌合されている構成としたことを特徴とするトランシーバモジュール。
【請求項２】
請求項１に記載のトランシーバモジュールにおいて、
前記上スリーブの突起部及び前記下スリーブの突起部とは、前記上スリーブと前記下スリーブとが組み合わされた状態で、端面同士が突き合わされて上下方向に整列しており、
前記切欠き凹部は、縦方向に長い長方形状であり、この上側の端面が、前記上スリーブの突起部の上側の端面を係止し、前記切欠き凹部の下側の端面が、前記下スリーブの突起部の下側の端面を係止した構成としたことを特徴とするトランシーバモジュール。
【請求項３】
請求項１に記載のトランシーバモジュールにおいて、
前記クリップの前記上腕部の下側辺と前記上スリーブの前記上腕部の下側辺に対向する部分との間、及び、前記クリップの前記下腕部の上側辺と前記下スリーブの前記下腕部の上側辺に対向する部分との間には、隙間が存在している構成としたことを特徴とするトランシーバモジュール。
【請求項４】
請求項１に記載のトランシーバモジュールにおいて、
前記クリップは、二つであり、
前記プルスリーブの左右側から挿入されて嵌合してある構成としたことを特徴とするトランシーバモジュール。
【請求項５】
請求項１に記載のトランシーバモジュールにおいて、
前記クリップは、二つであり、
前記プルスリーブの前面側より前記プルスリーブの左右端の近傍に挿入されて嵌合してある構成としたことを特徴とするトランシーバモジュール。
【発明の詳細な説明】
【技術分野】
【０００１】
本発明はトランシーバモジュールに係り、データを送信及び受信する機能を備えたものであって、サーバ装置等の情報処理装置に装着されて使用状態とされるトランシーバモジュールに関する。
【背景技術】
【０００２】
ＬＡＮ(Local Ａrea Network)の一つにバス型ＬＡＮであるイーサネット（Ethernet（登録商標））ＬＡＮがある。イーサネットＬＡＮはデータを送信及び受信する機能を備えているサーバ装置を設置し、これに信号伝送路を接続して構築される。このＬＡＮ等のシステムは、データの送信の距離が長い場合には数１０ｋｍと長く、短い場合には１０ｍ程度と短く、ユーザによって規模がまちまちである。そこで、ユーザのニーズに柔軟に対応できるように、データを送信及び受信する機能を備えたモジュールであるトランシーバモジュールを、通信距離等に応じて複数の種類用意しておき、サーバ装置は、トランシーバモジュール装着部を幾つか有する構成とし、所望のトランシーバモジュールを装着部に装着することによって組み立てられる。また、データの送信の距離に変更があった場合等には、トランシーバモジュールを装着部から取り外し、別のトランシーバモジュールを装着することで対応が可能となる。
【０００３】
トランシーバモジュールは、その端側に、外部接続用コネクタと、この外部接続用コネクタを囲むプルスリーブと、係止爪とを有する構成である。装着されている状態で、作業者がプルスリーブを引く操作を行うと、係止爪が凹むように後退してロックが解除されて、トランシーバモジュールがサーバ装置から引き出されるようになっている。
【０００４】
従来、プルスリーブの一例は、逆U字形状の上スリーブとU字形状の下スリーブとを共にダイキャスト製としてねじ止めしてなる構成であった。
【０００５】
また、プルスリーブの別の例としては、上スリーブと下スリーブとを共に合成樹脂製とし、下スリーブと上スリーブとを圧入によって固定してある構成のものもある。
【発明の開示】
【発明が解決しようとする課題】
【０００６】
しかし、ダイキャスト製のプルスリーブは、摺動性がよくなく、操作の感触がよくなかった。
【０００７】
合成樹脂製のプルスリーブの場合には、摺動性はダイキャスト製のプルスリーブよりも改善されるけれども、長年使用しているうちに、下スリーブが上スリーブから外れてしまう虞れがあった。
【０００８】
特に、摺動性の改善のために、プルスリーブを表面が滑り易い性質の合成樹脂製とすると、下スリーブが上スリーブから外れ易くなってしまう。また、表面が滑り易い性質の合成樹脂製とすると、接着剤を使用しても、十分な接着力が得られないという問題もあった。また、工場で大量生産することを考えた場合には、接着工程を行うためには、接着剤の量、温度等を管理する必要があり、面倒であるという問題もあった。
【０００９】
本発明は、上記の点に鑑みてなされたトランシーバモジュールを提供することを目的とする。
【課題を解決するための手段】
【００１０】
そこで、上記課題を解決するため、本発明は、ハウジングの正面側に外部接続用コネクタを有し、且つ、前記外部接続用コネクタを囲むようにして設けてあるプルスリーブを有し、前記プルスリーブを引く操作を行って装着部から引き抜かれるトランシーバモジュールにおいて、
前記プルスリーブは、共に合成樹脂製である上スリーブと下スリーブとが組み合わされ、挿入されたクリップによって挟まれて固定された構成であり、
前記クリップは、板状であり、縦向きの本体部と、この本体部の両端より延在している上腕部及び下腕部と、この先端のフック部とよりなり、前記本体部はその内側に切欠き凹部を有する形状であり、
前記上スリーブ及び前記下スリーブは、夫々、前記クリップが挿入されるスリットを有し、且つ、前記スリットの内部に、前記切欠き凹部に嵌合する突起部を有する構成であり、
前記クリップが、前記スリット内に挿入され、前記フック部を係止されて取り付けてあり、前記上スリーブの突起部と前記下スリーブの突起部とが前記切欠き凹部内に嵌合されている構成としたことを特徴とする。
【発明の効果】
【００１１】
本発明によれば、縦向きの本体部に形成してある切欠き凹部が、上スリーブの突起部と下スリーブの突起部とを挟んで嵌合して構成であるため、上スリーブと下スリーブとが十分に強固に固定された状態とすることが出来る。
【発明を実施するための最良の形態】
【００１２】
次に本発明の実施の形態について説明する。
【実施例１】
【００１３】
［サーバ装置及びトランシーバモジュールの概略］
図１は本発明の実施例１になるトランシーバモジュール２０がサーバ装置１０のトランシーバモジュール装着台１４に装着される途中の状態を示す。
【００１４】
Ｘ１−Ｘ２はトランシーバモジュール２０の幅方向（サーバ装置１０の幅方向）、Ｙ１−Ｙ２はトランシーバモジュール２０の長手方向（サーバ装置１０の奥行き方向）、Ｚ１−Ｚ２はトランシーバモジュール２０の高さ（厚さ）方向（サーバ装置１０の高さ方向）である。Ｙ２側が正面であり、Ｙ１側が挿入方向先端である。
【００１５】
サーバ装置１０は、そのフロントパネル１１にトランシーバモジュール挿入口１２を複数有し、内部のマザーボード１３上にトランシーバモジュール装着台１４が固定してあり、装着台１４が挿入口１２に臨んでいる構成である。装着台１４は、上面が解放の箱形状であり、側板に係止口１５を有し、奥部には、インターフェイス接続用コネクタ１６が設けてありインターフェイスに接続されている。
【００１６】
トランシーバモジュール２０は、図２に示すように、データを送受信するデータ送受信組立体２１が、上側ハウジングハーフ３１と下側ハウジングハーフ３５とが組み合わされてなるモジュールハウジング３０内に組み込んである構成であり、Ｙ１−Ｙ２方向に長い直方体形状であり、Ｙ２側に外部接続用のコネクタプラグ４０、プルスリーブ５０、ラッチ機構８０を有し、Ｙ1側にカードエッジコンタクト部２２を有する構成である。
【００１７】
データ送受信組立体２１は、プリント回路基板２２の中央ににＬＳＩ２４が実装してあり、プリント回路基板２２のＹ２側にコネクタプラグ４０が実装してあり、プリント回路基板２２のＹ１側にカードエッジコンタクト部２２を有する構成である。
【００１８】
上側及び下側ハウジングハーフ３１、３５は、Ｙ２端に、フランジハーフ部３２，３６及びカバーハーフ部３３，３７を有する。ラッチ機構８０はラッチ爪部材８１、８１Ｌを有する。
【００１９】
上記構成のトランシーバモジュール２０は、トランシーバモジュール挿入口１２を通してサーバ装置１０内に挿入されて、装着台１４上に支持されて、カードエッジコンタクト部２２をインターフェイス接続用コネクタ１６に接続されて、且つ、図３及び図４に示すように、ラッチ爪部材７１が係止口１５を係止してロックされて、且つ、フランジハーフ部３２，３６がフロントパネル１１の前面に当たっており、コネクタプラグ４０及びプルスリーブ５０がフロントパネル１１より前側に突き出た状態で、装着してある。図１に示すケーブルコネクタ１００がコネクタプラグ４０に接続される。
［プルスリーブ５０の構成］
図５はプルスリーブ５０を、これを分解した状態を併せて示す斜視図である。図６は図５中面ＶＩで断面した断面図である。図７は図５中面ＶＩで断面した箇所が見えるようにして分解して示す図である。プルスリーブ５０は左右対称の構造であり、Ｘ２側については、符号Ｌを付した符号で示す。
【００２０】
図５、図６、図７に示すように、プルスリーブ５０は、上スリーブ５１と下スリーブ６１とが組み合わされ、且つＸ１側とＸ２側から嵌合されたクリップ７０、７０Ｌによって固定してある構成であり、組み合わされたカバーハーフ部３３，３７を囲んで、Ｙ２方向に摺動可能に設けてある。後述する腕部５４、５４Ｌは、フランジハーフ部３２の切り欠き部３２ａを通して、モジュールハウジング３０内に突き出ている。上スリーブ５１と下スリーブ６０とは共に合成樹脂製であり、クリップ７０、７０Ｌは共に金属板製である。上スリーブ５１と下スリーブ６１とが共に合成樹脂のうち成形品の表面の摩擦係数の小さいポリアセタール樹脂（POM）であることによって、プルスリーブ５０の摺動は円滑である。
【００２１】
上スリーブ５１は、上横架板部５２と、この両端側の下向き側板部５３、５３Ｌと、側板部５３、５３ＬよりＹ１方向に突き出ている腕部５４、５４Ｌとを有する。
【００２２】
５５、５５Ｌはスリットであり、上スリーブ５１のうちＹ２方向の端である正面に近い箇所に形成してあり、クリップ７０、７０Ｌの寸法に対応した幅を有する。
【００２３】
スリット５５は、側板部５３の全長と上横架板部５２のうちＸ１側寄りの部分に、上スリーブ５１の外側面より内側面にまで貫通して、且つ、一部については内側面までは貫通せずに形成してある。５５ａはスリット５５のＹ１側の端面である。５６ａは側板側突起部、５６ｂは上横架板側突起部であり、共に、端面５５ａから突き出ており、スリット５５のうち深い箇所に、即ち、上スリーブ５１の内側面寄りの箇所に形成してある。なお、突起部５６ａ、５６ｂは、スリット５５が内側面までは貫通しないことによって残されている部分であり、上スリーブ５１のうちスリット５５で分割されている両側の部分を繋いでいる。突起部５６ａは、側板部５３の下端の位置よりＺ１方向に延在しており、Ｚ方向の長さはＡである。
【００２４】
側板部５３Ｌと上横架板部５２とにまたがる部分には、スリット５５Ｌ、側板側突起５６Ｌａ、上横架板側突起部５６Ｌｂが形成してある。
【００２５】
また、側板部５３、５３Ｌの下端面には、凹部５９、５９Ｌが形成してある。
【００２６】
５２ａは上横架板部５２のうちスリット５５、５５Ｌが形成されていない箇所であり、上横架板部５２の中央に位置してあり、上スリーブ５１のうちＹ２側の箇所を本体の部分と繋いでいる。
【００２７】
５６ａ１、５６Ｌａ１は側板側突起部５６ａ、５６ＬａのＺ１側の端面であり、５６ａ２、５６Ｌａ２は側板側突起部５６ａ、５６ＬａのＺ２側の端面である。
【００２８】
下スリーブ６１は、下横架板部６２と、この両端側の上向き側板部６３、６３Ｌとを有する。
【００２９】
６５、６５Ｌはスリットであり、下スリーブ６１のうちＹ２方向の端である正面に近い箇所に形成してあり、クリップ６５Ｒ、６５Ｌの寸法に対応した幅を有する。
【００３０】
スリット６５は、側板部６３の全長と下横架板部６２のうちＸ１側寄りの部分に、下スリーブ６１の外側面より内側面にまで貫通して、且つ、一部については内側面までは貫通せずに形成してある。６５ａはスリット６５のＹ１側の端面である。６６ａは側板側突起部、６６ｂは上横架板側突起部であり、共に、端面６５ａから突き出ており、スリット６５のうち深い箇所に、即ち、下スリーブ６１の内側面寄りの箇所に形成してある。なお、突起部６６ａ、６６ｂは、スリット６５が内側面までは貫通しないことによって残されている部分であり、下スリーブ６１のうちスリット６５で分割されている両側の部分を繋いでいる。突起部６６ｂは、側板部６３の下端の位置よりＺ２方向に延在しており、Ｚ方向の長さはＢである。
【００３１】
側板部６３Ｌと下横架板部６２とにまたがる部分には、スリット６５Ｌ、側板側突起６６Ｌａ、下横架板側突起部６６Ｌｂが形成してある。
【００３２】
また、側板部６３、６３Ｌの下端面には、凸部６９、６９Ｌが形成してある。
【００３３】
６２ａは下横架板部６２のうちスリット６５、６５Ｌが形成されていない箇所であり、下横架板部６２の中央に位置してあり、下スリーブ６１のうちＹ２側の箇所を本体の部分と繋いでいる。
【００３４】
６６ａ１、６６Ｌａ１は側板側突起部６６ａ、６６ＬａのＺ１側の端面であり、６６ａ２、６６Ｌａ２は側板側突起部６６ａ、６６ＬａのＺ２側の端面である。
【００３５】
クリップ７０は、Ｚ方向に長い本体部７１と、この本体部７１のＺ１端よりＸ２方向に延びている上腕部７２と、本体部７１のＺ２端よりＸ２方向に延びている下腕部７３とを有し、略Ｕ字形状を有する。
【００３６】
本体部７１の内側には、長方形の切り欠き部７４が形成してある。この切り欠き部７４は、上記の側板側突起５５ａ、６５ａに対応する大きさであり、Ｚ方向の長さＣ、即ち、Ｚ１側の端面７５とＺ２側の端面７６との間の長さＣは、前記の側板側突起５６ａの長さＡと、側板側突起６６ａの長さＢとを加算した寸法、即ち、Ａ＋Ｂと等しい寸法としてある。
【００３７】
また、切り欠き部７４は本体部７１の長手方向（Ｚ方向）に沿う長い形状であるため、端面７５にＺ1方向の強い力、端面７６にＺ２方向の強い力を作用させた場合でも、端面７５と端面７６との間は拡がらず、長さＣは変化しない。
【００３８】
上腕部７２は先端にフック部７７を有し、下腕部７３は先端にフック部７８を有する。
【００３９】
７２ａは上腕部７２の下側（Ｚ２側）の辺であり、７３ａは下腕部７３の上側（Ｚ１側）の辺である。
【００４０】
ここで、本体部７１の幅寸法Dは、切り欠き部７４が形成されることを考慮して広くしてある。上腕部７２（下腕部７３）の幅寸法Eは、上腕部７２（下腕部７３）がその間が広がるように撓むことが可能な寸法としてある。
【００４１】
クリップ７０Ｌは、クリップ７０と同じ部材であり、切り欠き部７４Ｌを有する本体部７１Ｌと、先端にフック部７７Ｌを有する上腕部７２Ｌと、先端にフック部７８Ｌを有する下腕部７３Ｌとを有する。
【００４２】
次に、プルスリーブ５０の構造を、その組み立ての手順を説明しつつ説明する。
【００４３】
上スリーブ５１は、腕部５４、５４Ｌがフランジハーフ部３２の切り欠き部３２ａ、３２Ｌａを貫通して取り付けてあり、組み合わされたカバーハーフ部３３，３７の上側を覆っている。腕部５４、５４Ｌの箇所に関連して、ラッチ爪部材８１、８１Ｌ及びバネ部材８５、８６等が組み込んである。
【００４４】
作業者は、下スリーブ６１を持って、Ｚ２側から、上スリーブ５１に組み合わせ、凸部６９、６９Ｌを夫々凹部５９、５９Ｌに嵌合させて位置決めして、カバーハーフ部３７の側を覆う状態とする。
【００４５】
これによって、図８に示す状態となる。即ち、スリット６５はスリット５５と一致し、スリット６５Ｌはスリット５５Ｌと一致した状態となる。また、側板側突起５６ａのＺ２側の端面５６ａ２と側板側突起６６ａのＺ１側の端面６６ａ１とが突き合わされ、側板側突起５６ａと側板側突起６６ａとがＺ方向に並んだ状態、側板側突起５６ＬａのＺ２側の端面５６Ｌａ２と側板側突起６６ＬａのＺ１側の端面６６Ｌａ１とが突き合わされ、側板側突起５６Ｌａと側板側突起６６ＬａとがＺ方向に並んだ状態となる。
【００４６】
次いで、作業者が、クリップ７０を、フック部７７、７８を先頭として、Ｘ１側よりスリット５５、６５内に挿入すると共に、クリップ７０Ｌを、フック部７７Ｌ、７８Ｌを先頭として、Ｘ２側よりスリット５５Ｌ、６５Ｌ内に挿入し、両方のクリップ７０，７０Ｌを最終位置まで強く押し込む。
【００４７】
この作業によって、図６に示す状態となる。即ち、クリップ７０はスリット５５、６５内に収まり、フック部７７、７８が夫々上横架板側突起部５６ｂ及び下横架板側突起部６６ｂを越えて上横架板側突起部５６ｂ及び下横架板側突起部６６ｂの端を係止し、切り欠き部７４が整列している側板側突起５６ａと側板側突起６６ａとに嵌合し、端面７５が側板側突起５６ａのＺ１側の端面５６ａ１を係止し、端面７６が側板側突起６６ａのＺ２側の端面６６ａ２を係止し、端面７５と端面７６との間に整列している側突起５６ａと側板側突起６６ａとを挟み込んだ状態となる。クリップ７０Ｌについても、上記のクリップ７０と同様に、スリット５５Ｌ、６５Ｌ内に収まり、フック部７７Ｌ、７８Ｌが夫々上横架板側突起部５６Ｌｂ及び下横架板側突起部６６Ｌｂを越えて上横架板側突起部５６Ｌｂ及び下横架板側突起部６６Ｌｂの端を係止し、切り欠き部７４Ｌが整列している側板側突起５６Ｌａと側板側突起６６Ｌａとに嵌合し、端面７５Ｌが側板側突起５６ＬａのＺ１側の端面５６Ｌａ１を係止し、端面７６Ｌが側板側突起６６ＬａのＺ２側の端面６６Ｌａ２を係止し、端面７５Ｌと端面７６Ｌとの間に整列している側突起５６Ｌａと側板側突起６６Ｌａとを挟み込んだ状態となる。
【００４８】
下スリーブ６１は、Ｘ１側とＸ２側とを夫々クリップ７０、７０Ｌによって挟まれて固定されることによって、上スリーブ５１に固定される。
【００４９】
ここで、フック部７７、７８、７７Ｌ、７８Ｌの係止は、クリップ７０、７０Ｌが外れないように止めておく役割であり、下スリーブ６１と上スリーブ５１とを固定するのは、切り欠き部７４の整列している側板側突起５６ａと側板側突起６６ａとへの嵌合、及び切り欠き部７４Ｌの整列している側板側突起５６Ｌａと側板側突起６６Ｌａとへの嵌合である。
【００５０】
なお、クリップ７０（７０Ｌ）の上腕部７２（７２Ｌ）の下側（Ｚ２側）の辺７２ａ（７２Ｌａ）と上横架板側突起部５６ｂ（５６Ｌｂ）との間には隙間ｇが存在しており、且つ、下腕部７３（７３Ｌ）の上側（Ｚ１側）の辺７３ａ（７３Ｌａ）と下横架板側突起部６６ｂ（６６Ｌｂ）との間には隙間ｇが存在している。
【００５１】
ここで、下スリーブ６１が上スリーブ５１から外れる方向（Ｚ２）方向に変位しようとした場合の拘束について説明する。
【００５２】
側板側突起６６ａ（６６Ｌａ）のＺ２側の端面６６ａ２（６６Ｌａ２）が切り欠き部７４（７４Ｌ）のＺ２側の端面７６（７６Ｌ）に係止されることによって、下スリーブ６１が上スリーブ５１から外れる方向（Ｚ２）方向の変位は拘束され、上スリーブ５１と下スリーブ６１とは固定されている。
【００５３】
ここで、上記のように、クリップ７０（７０Ｌ）の上腕部７２（７２Ｌ）、下腕部７３（７３Ｌ）と上横架板側突起部５６ｂ（５６Ｌｂ）及び下横架板側突起部６６ｂ（６６Ｌｂ）との間には隙間ｇが存在しているため、下スリーブ６１が上スリーブ５１から外れる方向（Ｚ２）方向の力が作用した場合でも、クリップ７０（７０Ｌ）の上腕部７２（７２Ｌ）、下腕部７３（７３Ｌ）にはその間を拡げるような力は作用しない。よって、クリップ７０（７０Ｌ）は少しも外れ易くなることはない。
【００５４】
よって、上スリーブ５１と下スリーブ６１とは堅固に固定されている。
【実施例２】
【００５５】
図９は本発明の実施例２になるトランシーバモジュール２０Ａを示す。プルスリーブ５０Ａは、上スリーブ５１Ａと下スリーブ６１Ａとには、クリップ７０（７０Ｌ）がＹ２側（正面側）から挿入されるように左右端の近傍にスリット５５Ａ、６５Ａ、５５ＬＡ、６５ＬＡ,が形成してあり、Ｙ２側（正面側）からスリットに挿入されたクリップ７０（７０Ｌ）によって、下スリーブ６１Ａが上スリーブ５１Ａに、前記と同様に固定されている構成である。
【図面の簡単な説明】
【００５６】
【図１】本発明の実施例１になるトランシーバモジュールをこれが装着されるサーバ装置の一部と対応させて示す斜視図である。
【図２】図１のトランシーバモジュールの分解斜視図である。
【図３】装着状態あるトランシーバモジュールのプルスリーブの付近の縦断面図である。
【図４】装着状態あるトランシーバモジュールの前側部分をプルスリーブを省略して示す平面図である。
【図５】プルスリーブを示す図である。
【図６】図５中面ＶＩで断面した拡大断面図である。
【図７】図５中面ＶＩで断面した箇所が見えるようにして分解して示す図である。
【図８】図７において、下スリーブを上スリーブに組み合わせた状態を示す図である。
【図９】本発明の実施例２になるトランシーバモジュールを示す斜視図である。
【符号の説明】
【００５７】
１０  サーバ装置
１１  フロントパネル
１２  トランシーバモジュール挿入口
１４  トランシーバモジュール装着台
２０  トランシーバモジュール
２１  データ送受信組立体
２２  カードエッジコンタクト部
３０  モジュールハウジング
３１  上側ハウジングハーフ
３５  下側ハウジングハーフ
４０  外部接続用のコネクタプラグ
５０  プルスリーブ
５１  上スリーブ
５２  上横架板部
５３、５３Ｌ  下向き側板部
５４、５４Ｌ  腕部
５５，５５Ｌ  スリット
５６ａ、５６Ｌａ  側板側突起部
５６ｂ、５６Ｌｂ  上横架板側突起部
６１  下スリーブ
６２  下横架板部
６３、６３Ｌ  上向き側板部
６４、６４Ｌ  腕部
６５，６５Ｌ  スリット
６６ａ、６６Ｌａ  側板側突起部
６６ｂ、６６Ｌｂ  下横架板側突起部
７０、７０Ｌ  クリップ
７１  本体部
７２  上腕部
７３  下腕部
７４  長方形の切り欠き部
７５，７６  端面
７７，７８  フック部
８０  ラッチ機構
１００  ケーブルコネクタ
【図１】
2008158665.tif 000003
【図２】
2008158665.tif 000004
【図３】
2008158665.tif 000005
【図４】
2008158665.tif 000006
【図５】
2008158665.tif 000007
【図６】
2008158665.tif 000008
【図７】
2008158665.tif 000009
【図８】
2008158665.tif 000010
【図９】
2008158665.tif 000011